(57)【要約】【課題】曲がりやすいコルゲートチューブを提供する。【解決手段】コルゲートチューブ２０を、断面の形状が中空の三角形の各角部を丸めた形状になると共に、長さ方向に繰り返し形成される段差が三角形の各辺部より各角部において大きくなるよう形成したから、曲がりやすいコルゲートチューブを提供することができる。この結果、コルゲートチューブ２０に覆われた三相モータ用の３本の電線３０Ｕ，３０Ｖ，３０Ｗをより容易に配策することができる。【選択図】図１
2013158071.tif 000002
【特許請求の範囲】
【請求項１】
三相モータに用いられる断面が円形状の３本の電線を俵積みした状態で覆うコルゲートチューブであって、
断面の形状が中空の三角形の各角部を丸めた形状になると共に、長さ方向に繰り返し形成される段差が前記三角形の各辺部より各角部において大きくなるよう形成されてなる、
ことを特徴とするコルゲートチューブ。
【発明の詳細な説明】
【技術分野】
【０００１】
本発明は、コルゲートチューブに関し、詳しくは、三相モータに用いられる断面が円形状の３本の電線を俵積みした状態で覆うコルゲートチューブに関する。
【背景技術】
【０００２】
従来、この種のコルゲートチューブに関する技術としては、自動車のハッチバックガラスへ配策するワイヤハーネスの外装材としてのコルゲートチューブであって、内部に４本の電線を通すと共に断面を三角枠状に形成したものが提案されている（例えば、特許文献１参照）。このコルゲートチューブは、断面三角枠の各辺により形成される３つの外表面の１つをガラス面に面接触させることにより、ハッチバックガラスに確実に固定されるものとしている。
【先行技術文献】
【特許文献】
【０００３】
【特許文献１】特開平１０−１２６９２８号公報
【発明の概要】
【発明が解決しようとする課題】
【０００４】
しかしながら、上述のコルゲートチューブでは、断面が三角枠状であるため、このコルゲートチューブを外装材として取り付けたワイヤハーネスを配策する際に、例えば断面が丸枠状（中空円形状）のものに比して、三角枠の頂点部分が曲げに対して強度が高くなってチューブ全体が曲がりにくくなり、ワイヤハーネスの配策を容易に行なうことができない場合があった。
【０００５】
本発明のコルゲートチューブは、曲がりやすいコルゲートチューブを提供することを主目的とする。
【課題を解決するための手段】
【０００６】
本発明のコルゲートチューブは、上述の主目的を達成するために以下の手段を採った。
【０００７】
本発明のコルゲートチューブは、
三相モータに用いられる断面が円形状の３本の電線を俵積みした状態で覆うコルゲートチューブであって、
断面の形状が中空の三角形の各角部を丸めた形状になると共に、長さ方向に繰り返し形成される段差が前記三角形の各辺部より各角部において大きくなるよう形成されてなる、
ことを特徴とする。
【０００８】
この本発明のコルゲートチューブでは、断面の形状が中空の三角形の各角部を丸めた形状になると共に、長さ方向に繰り返し形成される段差が三角形の各辺部より各角部において大きくなるよう形成されている。これにより、曲がりやすいコルゲートチューブを提供することができる。この結果、コルゲートチューブに覆われた三相モータ用の３本の電線をより容易に配策することができる。ここで、「俵積みした状態」は、２本の電線を互いに接するよう並べたものに残り１本の電線を載置した状態や、３本の電線を互いに接するように並べた状態などということができる。また、「断面の形状が中空の三角形の各角部を丸めた形状」は、断面が三角形の枠の各角部を丸めた形状などということができる。
【図面の簡単な説明】
【０００９】
【図１】本発明の一実施例としてのコルゲートチューブ２０の構成の概略を示す斜視図である。
【図２】図１のコルゲートチューブ２０の凸部２２と凹部２４との各断面図である。
【図３】図２の各断面図を重ね合わせて模式的に示す説明図である。
【図４】断面略三角形状の実施例のコルゲートチューブ２０と断面丸形状の比較例のコルゲートチューブ２０Ｂとを示す説明図である。
【図５】断面略三角形状の実施例のコルゲートチューブ２０と断面三角形状の比較例のコルゲートチューブ２０Ｃとを示す説明図である。
【図６】図５の実施例のコルゲートチューブ２０と比較例のコルゲートチューブ２０Ｃとを重ね合わせて模式的に示す説明図である。
【図７】コルゲートチューブ２０を曲げた様子の一例を示す説明図である。
【発明を実施するための形態】
【００１０】
次に、本発明を実施するための形態を実施例を用いて説明する。
【実施例】
【００１１】
図１は、本発明の一実施例としてのコルゲートチューブ２０の構成の概略を示す斜視図であり、図２は、図１のコルゲートチューブ２０の凸部２２のＢＢ断面および凹部２４のＣＣ断面の各断面図であり、図３は、図２の各断面図を重ね合わせて模式的に示す説明図である。図１中、Ａ方向から視認される紙面手前側の面は、凸部２２と凹部２４との境界における断面を示している。
【００１２】
実施例のコルゲートチューブ２０は、例えばハイブリッド自動車や電気自動車に搭載された走行用の動力を入出力する同期発電電動機などとして構成された三相モータとこの三相モータを駆動するインバータとを接続する三相（Ｕ相，Ｖ相，Ｗ相）分の３本の電線３０Ｕ，３０Ｖ，３０Ｗを覆う（保護する）樹脂製の外装材（保護部材）であり、三相モータやインバータと共に例えば車両前部の収納部（エンジンルーム）に収納され、この収納部内などで他の部品を迂回するように電線３０Ｕ，３０Ｖ，３０Ｗの曲げを伴って配策されている。なお、電線３０Ｕ，３０Ｖ，３０Ｗは、それぞれ銅などの導体を塩化ビニルなどの絶縁体で覆った電線として断面が円形状に形成されており、コルゲートチューブ２０内に２本の電線を互いに接するよう並べたものに残り１本の電線を載置した状態、即ち、３本の電線を互いに接するように並べた状態（以下、俵積みした状態という）で収容されている。電線３０Ｕ，３０Ｖ，３０Ｗは、コルゲートチューブ２０に対して長さ方向の全長に亘って形成された図示しないスリットから挿入される。
【００１３】
また、コルゲートチューブ２０は、断面（長さ方向に垂直な断面）が中空の三角形の各角部（三角形の頂点の部分）を丸めた（角をとった）形状、即ち、断面が三角形の枠の各角部を丸めた形状に形成されると共に、外表面および内表面で長さ方向（長手方向）に繰り返し凹凸が形成されており、外表面で凸状となる（内表面では凹状となる）断面略三角形状の凸部２２と、外表面で凹状となる（内表面では凸状となる）断面略三角形状の凹部２４とを、それぞれ複数有する。図２中左側の図２（ａ）に示すように、凸部２２は、コルゲートチューブ２０の外表面を形成する外壁部２２ａと、コルゲートチューブ２０の内表面を形成する内壁部２２ｂとを有し、また、図２中右側の図２（ｂ）に示すように、凹部２４は、コルゲートチューブ２０の外表面を形成する外壁部２４ａと、コルゲートチューブ２０の内表面を形成する内壁部２４ｂとを有する。図２中、凸部２２および凹部２４は、図１中Ａ方向から視認したときの状態をそれぞれ紙面上下方向の位置を揃えて図示されており、凸部２２の外壁部２２ａと凹部２４の外壁部２４ａとにより形成される段差のうち、断面略三角形状の３つの角部２６ａ，２６ｂ，２６ｃ（図３参照）に形成される段差の長さＬ２は、断面三角形状の３つの辺部２８ａ，２８ｂ，２８ｃ（図３参照）に形成される段差の長さＬ１よりも、大きくなるように形成されている。
【００１４】
図４は、断面略三角形状（断面が中空の三角形の各角部を丸めた形状）の実施例のコルゲートチューブ２０と断面丸形状の比較例のコルゲートチューブ２０Ｂとを示す説明図であり、図５は、断面略三角形状の実施例のコルゲートチューブ２０と断面三角形状（断面が中空の三角形で各角部を丸めていない形状）の比較例のコルゲートチューブ２０Ｃとを示す説明図である。図４および図５中、左側の図４（ａ）および図５（ａ）に示すコルゲートチューブ２０は、図２の各断面図を重ね合わせて模式的に図示されており、凸部２２および凹部２４における樹脂の厚みが太い実線で表現されている。また、図４および図５中、右側の図４（ｂ）および図５（ｂ）に示す比較例のコルゲートチューブ２０Ｂ，２０Ｃは、図４（ａ）および図５（ａ）の実施例のコルゲートチューブ２０と同様に図示され且つ表現されており、比較例の３本の電線は実施例の電線３０Ｕ，３０Ｖ，３０Ｗと同様に構成されているものとした。また、図５中、比較例のコルゲートチューブ２０Ｃの長さ方向に繰り返し形成される段差の長さ（大きさ）は、実施例のコルゲートチューブ２０の略三角形状の各辺部の段差の長さＬ１と等しいものとした。
【００１５】
図４に示すように、実施例のコルゲートチューブ２０では、断面略三角形状の各辺部と対応する各角部との間に形成される高さＨｔは、比較例のコルゲートチューブ２０Ｂの外径に相当する高さＨｃよりも小さくなっている。また、実施例のコルゲートチューブ２０の内表面と俵積みした状態の電線３０Ｕ，３０Ｖ，３０Ｗとの間に形成される空気層の容積Ｃｔは、比較例のコルゲートチューブ２０Ｂの内表面と俵積みした状態の３本の電線との間に形成される空気層の容積Ｃｃよりも小さくなっている。これらは、前述した段差の長さＬ１，Ｌ２と比較例のコルゲートチューブ２０Ｂの段差の長さ（大きさ）との関係などにもよるが、俵積みした状態の３本の電線のチューブ内での移動の自由をある程度確保して電線がスリットから外部にはみ出したりしないようにするために３本の電線とチューブ内表面との間には所定長の隙間を確保することを共通の条件として、実施例のコルゲートチューブ２０と比較例のコルゲートチューブ２０Ｂとが形成されていることに基づく。このように、実施例のコルゲートチューブ２０では、断面を中空の三角形の各角部を丸めた形状にしたから、断面丸形状のものに比して、高さＨｔを小さくしてコルゲートチューブの搭載スペースを小さくすることができると共に、空気層の容積Ｃｔを小さくして電線の放熱性を高めることができる。また、断面略三角形状としたから、断面丸形状のものに比して、車両の収納部などでのコルゲートチューブのねじれの判別性を高める（略三角形状の各角部が長さ方向においてねじれている状態の視認性）を良好にすることができる。
【００１６】
また、図５に示すように、実施例のコルゲートチューブ２０では、高さＨｔは、比較例のコルゲートチューブ２０Ｃの断面三角形状の各辺部と対応する各角部との間に形成される高さＨｔ２よりも小さくなっている。また、実施例のコルゲートチューブ２０内の空気層の容積Ｃｔは、比較例のコルゲートチューブ２０Ｃの内表面と俵積みした状態の３本の電線との間に形成される空気層の容積Ｃｔ２よりも小さくなっている。これらは、実施例のコルゲートチューブ２０では、前述した各辺部の段差の長さＬ１と比較例のコルゲートチューブ２０Ｃの段差の長さ（大きさ）とが等しくなるように形成されていることと、俵積みした状態の３本の電線のチューブ内での移動の自由をある程度確保して電線がスリットから外部にはみ出したりしないようにするために３本の電線とチューブ内表面との間には所定長の隙間を確保することを共通の条件として、実施例のコルゲートチューブ２０と比較例のコルゲートチューブ２０Ｃとが形成されていることとに基づく。図６に、図５の実施例のコルゲートチューブ２０（実線参照）と比較例のコルゲートチューブ２０Ｃ（点線参照）とを重ね合わせて模式的に示す。図中、斜線でハッチングした部分は、実施例のコルゲートチューブ２０の凹部２４の内部空間で比較例のコルゲートチューブ２０Ｃよりも空気層の容積が小さくなる範囲に相当する。このように、実施例のコルゲートチューブ２０では、断面が中空の三角形の各角部を丸めた形状（略三角形状）としたから、断面が三角形で各角部を丸めていない中空の形状（三角形状）のものに比して、高さＨｔを小さくしてコルゲートチューブの搭載スペースを小さくすることができると共に、空気層の容積Ｃｔを小さくして放熱性を高めることができる。また、断面略三角形状の各辺部の段差の長さＬ１よりも各角部の段差の長さＬ２を大きくしたから、図７に示すように、コルゲートチューブを曲げやすくすることができる。この結果、コルゲートチューブ２０に覆われた３本の電線３０Ｕ，３０Ｖ，３０Ｗを曲げを伴ってより容易に配策することができる。
【００１７】
以上説明した実施例のコルゲートチューブ２０によれば、断面の形状が中空の三角形の各角部を丸めた形状になると共に、長さ方向に繰り返し形成される段差が三角形の各辺部より各角部において大きくなるよう形成したから、曲がりやすいコルゲートチューブを提供することができる。この結果、コルゲートチューブ２０に覆われた三相モータ用の３本の電線３０Ｕ，３０Ｖ，３０Ｗをより容易に配策することができる。
【００１８】
実施例の主要な要素と課題を解決するための手段の欄に記載した発明の主要な要素との対応関係について説明する。実施例では、コルゲートチューブ２０が「コルゲートチューブ」に相当し、電線３０Ｕ，３０Ｖ，３０Ｗが「電線」に相当する。
【００１９】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２０】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２１】
本発明は、コルゲートチューブの製造産業などに利用可能である。
【符号の説明】
【００２２】
２０，２０Ｂ，２０Ｃ  コルゲートチューブ、２２  凸部、２２ａ，２４ａ  外壁部、２２ｂ，２４ｂ  内壁部、２４  凹部、２６ａ  角部、２８ａ  辺部、３０Ｕ，３０Ｖ，３０Ｗ  電線。
【図１】
2013158071.tif 000003
【図２】
2013158071.tif 000004
【図３】
2013158071.tif 000005
【図４】
2013158071.tif 000006
【図５】
2013158071.tif 000007
【図６】
2013158071.tif 000008
【図７】
2013158071.tif 000009